(57)【要約】【課題】  設置、取り外し作業が容易で高い作業性を得ることができ、しかも、必要とされる設置占有面積が小さいガス警報装置を提供すること。【解決手段】  正面に表示部および操作部を有すると共に下面にガス配管接続部を有し、後背面が垂直な被取り付け面に固定されるガス警報装置であって、被取り付け面に固定される、係止部を有する垂立部および水平部よりなる固定基板の水平部に、その下面より下方に突出するレバー部を有するロック部材が装着されてなる固定用装着部材と、固定用装着部材に位置合わせされた状態で下方にスライドされることにより後背面が係止部に係止されると共に下面部がロック部材に係合されて固定され、ロック部材のレバー部が正面側から後方に押された状態で上方にスライドされることによりロック部材との係合が解除されるよう、固定用装着部材に対して着脱自在に装着されるガス警報装置本体とを備えてなる。【選択図】  図３
2010073077.tif 000002
【特許請求の範囲】
【請求項１】
正面に表示部および操作部を有すると共に下面にガス配管接続部を有し、後背面が垂直な被取り付け面に固定されるガス警報装置であって、
被取り付け面に固定される固定用装着部材と、この固定用装着部材に着脱自在に装着されるガス警報装置本体とを備えてなり、
固定用装着部材は、被取り付け面に固定される板状の垂立部およびこの垂立部の下端に連続して水平に伸びる水平部とよりなる固定基板と、この固定基板の水平部に装着された固定基板の水平部の下面より下方に突出して伸びるレバー部を有するロック部材とにより構成され、固定基板の垂立部に上向きの爪状突起よりなる係止部を有し、
ガス警報装置本体は、固定用装着部材に対して位置合わせされた状態において下方にスライドされることにより後背面が係止部に係止されると共に下面部がロック部材に係合されて固定用装着部材に固定され、ロック部材のレバー部がガス警報装置本体の正面側から後方に押された状態で、上方にスライドされることにより当該ロック部材とガス警報装置本体との係合が解除されてロック状態が解除されることを特徴とするガス警報装置。
【請求項２】
ロック部材は、上方に凸となるよう弧状に湾曲する本体部と、この本体部の正面側板状部分の下端に連続して下方に伸びるレバー部と、本体部の背面側板状部分の下端に連続する固定基板の水平部に係止されて装着される装着部とを有し、正面側板状部分の前面に、ガス警報装置本体に係合される係合用爪部が形成されていることを特徴とする請求項１に記載のガス警報装置。
【請求項３】
ガス警報装置本体の外匣は、その両側面が外方に突出がなく略平らなものであって、固定用装着部材を含む構成部材のすべてが外匣の幅領域内に収められた状態とされていることを特徴とする請求項１または請求項２に記載のガス警報装置。
【請求項４】
互いに種類の異なるガスセンサが装着された多数台のものが幅方向に並んだ状態で設置されることを特徴とする請求項１乃至請求項３のいずれかに記載のガス警報装置。
【発明の詳細な説明】
【技術分野】
【０００１】
本発明は、例えばガス検知の対象空間を画成する壁面に固定して設置する壁面固定型のガス警報装置に関する。
【背景技術】
【０００２】
例えば、半導体装置あるいは液晶装置の製造工場、または各種の化学工場などにおいては、環境雰囲気中に特定の危険性ガスが高濃度で含有されて例えば作業員に危険な状態となった場合に、そのことを警告報知するためにガス警報装置が用いられている。そして、ガス警報装置としては、壁面固定型のものが広く使用されており、その多数のものを横方向に並んだ状態で壁面に固定して配設することにより、種々の種類の危険性ガスを検知することが行われている。
【０００３】
このような壁面固定型のガス警報装置のある種のものは、例えばガス警報装置本体の両側面に形成された凹部に係合される一対の弾性アーム部が設けられた取り付け板を壁面に固定し、ガス警報装置本体により取り付け板における弾性アーム部を幅方向外方に押し開いてガス警報装置本体を弾性アーム部の間に挿入することによりガス警報装置本体を弾性アーム部に係合させて壁面に固定する構成とされている（例えば特許文献１参照）。
【０００４】
【特許文献１】特開平１０−１０５８５４号公報
【発明の開示】
【発明が解決しようとする課題】
【０００５】
上述したように、壁面固定型のガス警報装置はその多数のものが横方向に並んだ状態で設置されて使用されることから、上記固定方法では、隣接するガス警報装置間のスペースを大きく確保することが必要となり、ガス警報装置の設置に必要とされる占有面積が大きくなるという、問題がある。
また、例えばメンテナンスを行う場合など、ガス警報装置本体を取り付け板から取り外すことが必要となった場合には、ガス警報装置の側面部に取り付け板との係合部が形成されることから、ガス警報装置本体と取り付け板との係合を解除することが困難であり、作業性が低下するという、問題がある。
【０００６】
本発明は、以上のような事情に基づいてなされたものであって、被取り付け面に対する設置、取り外し作業を容易に行うことができて高い作業性を得ることができ、しかも、必要とされる設置占有面積が小さいガス警報装置を提供することを目的とする。
【課題を解決するための手段】
【０００７】
本発明のガス警報装置は、正面に表示部および操作部を有すると共に下面にガス配管接続部を有し、後背面が垂直な被取り付け面に固定されるガス警報装置であって、
被取り付け面に固定される固定用装着部材と、この固定用装着部材に着脱自在に装着されるガス警報装置本体とを備えてなり、
固定用装着部材は、被取り付け面に固定される板状の垂立部およびこの垂立部の下端に連続して水平に伸びる水平部とよりなる固定基板と、この固定基板の水平部に装着された固定基板の水平部の下面より下方に突出して伸びるレバー部を有するロック部材とにより構成され、固定基板の垂立部に上向きの爪状突起よりなる係止部を有し、
ガス警報装置本体は、固定用装着部材に対して位置合わせされた状態において下方にスライドされることにより、後背面が係止部に係止されると共に下面部がロック部材に係合されて固定用装着部材に固定され、ロック部材のレバー部がガス警報装置本体の正面側から後方に押された状態で、上方にスライドされることにより当該ロック部材とガス警報装置本体との係合が解除されてロック状態が解除されることを特徴とする。
【０００８】
本発明のガス警報装置においては、ロック部材は、上方に凸となるよう弧状に湾曲する本体部と、この本体部の正面側板状部分の下端に連続して下方に伸びるレバー部と、本体部の背面側板状部分の下端に連続する固定基板の水平部に係止されて装着される装着部とを有し、正面側板状部分の前面に、ガス警報装置本体に係合される係合用爪部が形成された構成とすることができる。
【０００９】
また、本発明のガス警報装置においては、外匣はその両側面が外方に突出がなく略平らなものであって、固定用装着部材を含むすべての構成部材が外匣の幅領域内に収められた状態となるよう構成されている。
【００１０】
さらにまた、本発明のガス警報装置は、互いに種類の異なるガスセンサが装着された多数台のものが幅方向に並んだ状態で設置されて使用される。
【発明の効果】
【００１１】
本発明のガス警報装置によれば、ガス警報装置本体を被取り付け面に固定された固定用装着部材に位置合わせした状態で下方にスライドさせることによりガス警報装置本体を装着、固定することができると共に、ガス警報装置本体を固定用装着部材より取り外す場合には、ガス警報装置の下方に形成される配管用スペースを利用してロック部材に対してガス警報装置の正面側からアクセスしてガス警報装置本体とロック部材との係合を解除することができるよう構成されているので、ガス警報装置の設置作業および取り外し作業を容易に行うことができて高い作業性を得ることができ、しかも、例えば、多数台のものを幅方向に並設する場合には、隣接するガス警報装置間のスペースを確保する必要がないので、設置占有面積を小さくことができる。
【００１２】
また、特定の構成のロック部材が用いられていることにより、基本的には、ガス警報装置本体を確実に固定することができると共に、ガス警報装置の正面側からのアクセスによってガス警報装置とロック部材との係合解除を確実に行うことができるので、上記効果を確実に得ることができる。
【００１３】
さらにまた、固定用装着部材を含む構成部材のすべてが外匣の幅領域内に収められた状態とされていることにより、多数台のものを並設する場合において、隣接するガス警報装置間のスペースを可及的に小さくすること、例えば多数台のガス警報装置を互いに密接して設置することもできるので、設置占有面積を一層小さくすることができる。
【発明を実施するための最良の形態】
【００１４】
図１は、本発明のガス警報装置の一例における構成を示す正面図、図２は、図１に示すガス警報装置の上面図、図３は、図１におけるＡ−Ａ線断面図、図４は、ガス警報装置本体の構成を示す斜視図、図５は、内部ケーシング部材の構成を示す斜視図、図６は、固定用装着部材の構成を示す斜視図、図７は、図１に示すガス警報装置の、ガスセンサユニットが取り外しされた状態を示す斜視図である。
このガス警報装置は、正面に表示部６８および操作部６９を有すると共に下面にガス配管接続部２９を有し、後背面が例えば、工場およびその他の建物のガス検知対象空間を画成する壁面など垂直な被取り付け面に固定されて設置されるものであって、被取り付け面に固定される固定用装着部材８０と、この固定用装着部材８０に着脱可能に装着されるガス警報装置本体１０とにより構成されている。
【００１５】
ガス警報装置本体１０は、ベース部材１１およびこのベース部材１１にネジ止めされて固定されるカバー部材１７によって形成される扁平な（縦長の）直方体形状の外匣２０と、この外匣２０内においてベース部材１１上に固定された一体の樹脂成形品よりなる内部ケーシング部材２５と、この内部ケーシング部材２５の上面に固定された板金よりなるシャーシ５０と、内部ケーシング部材２５の前面における上方位置に形成されたポンプユニット装着部２６に着脱自在に装着されるポンプユニット４０およびシャーシ５０に固定されたポンプユニット駆動用の電磁石４８とよりなる電磁駆動式のポンプ装置と、内部ケーシング部材２５の前面におけるポンプユニット装着部２６の下方位置に形成されたガスセンサユニット接続部２８に気密に接続されて装着されたガスセンサユニット７０と、外匣２０の一方の側壁と内部ケーシング部材２５との間の位置において、側壁に沿って前後方向に伸びるよう配設されたメイン基板（図示せず）と、外匣２０の前縁下端位置に設けられた、ガスセンサユニット７０が装着されるガスセンサユニット装着部１６を開閉する前面カバー蓋６０とを備えている。
【００１６】
ベース部材１１は、略平板状の底面部１２とこの底面部１２の後縁から上方に伸びる背面部１３とを有し、背面部１３には、固定用装着部材８０に対する係合用開口部１３Ａが形成されている。
ベース部材１１における前縁には、前面カバー蓋６０における枢支軸６１Ａを回転自在に支持する支持部１５が形成されている。
【００１７】
カバー部材１７は、天板１７Ａおよびこの天板１７Ａの両側縁から下方に伸びる側面板１７Ｂよりなる、断面形状が略「コ」の字型のものであって、側面板１７Ｂは外方に突出がなく略平らなものである。
カバー部材１７における天板１７Ａの前縁側部分には、前面カバー蓋６０を閉状態に固定するロック機構によるロックを解除するロック解除部１８が形成されている。ロック解除部１８は、上方から押圧されることにより弾性的に変形されるよう、天板１７Ａの一部分が片状に切り出されてなるボタン部１８Ａの２つが幅方向に並んで形成されて構成されている。
また、各々の側面板１７Ｂの後背面における下方位置には、固定用装着部材８０に対する係止用孔１９が形成されている。
【００１８】
シャーシ５０は、略板状の天面部５１および天面部５１の後縁から下方に伸びる板状の背面部５３を有し、天面部５１における、カバー部材１７のロック解除用のボタン部１８Ａの各々に対応する位置には、前面カバー蓋６０を係合により閉状態に固定するための２つの係合用孔５２が形成されている。
背面部５３は、その下半部が前方に向かって屈曲されて略「Ｌ」字型に伸びる形態を有しており、屈曲部分の隅部における幅方向に並んだ位置において、固定用装着部材８０に対する２つの係止用孔５４が形成されていると共に下方に伸びる板状部分の外面に接続用コネクタ５５が設けられている。
【００１９】
内部ケーシング部材２５は、上述したように、一体の樹脂成形品よりなり、ポンプユニット装着部２６、ガスセンサユニット接続部２８、被検ガスを導入するガス導入部２９Ａおよび被検ガスを排出するガス排出部２９Ｂを含む、被検ガスが流通されるガス流路、並びに、被検ガスが導入される構成部品の装着部のすべてが形成されている。
すなわち、前面における上方位置において、上方および前方に開口する凹所よりなり、当該凹所を区画する後壁内面にポンプユニット接続部２６Ａが形成されたポンプユニット装着部２６が形成されていると共に、ポンプユニット装着部２６の下方に並んだ位置において、ガスセンサユニット接続部２８が形成されている。そして、ガス導入部２９Ａからバッファ用空間部２５Ａを介してポンプユニット接続部２６Ａに至るガス流路、ポンプユニット接続部２６Ａから内部ケーシング部材２５の後背面に着脱可能に設けられた流量センサ７８を介してガスセンサユニット接続部２８に至るガス流路、および、ガスセンサユニット接続部２８からガス排出部２９Ｂに至るガス流路が形成されている。
ガス導入部２９Ａおよびガス排出部２９Ｂは、ベース部材１１に形成された貫通孔を挿通されて下方に突出する状態とされており、これにより、ガス警報装置本体１０の下面において、ガス配管接続部２９が形成されている。
【００２０】
内部ケーシング部材２５におけるポンプユニット装着部２６の前方開口縁の下部位置には、ポンプユニット装着部２６を開閉するポンプ固定用蓋体３０が、ポンプ固定用蓋体ロック機構によって閉状態に固定される閉位置とポンプ固定用蓋体ロック機構による固定が解除されて開状態とされる開位置との間で回動自在に設けられている。
ポンプ固定用蓋体３０は、ポンプユニット４０を押圧状態で固定する垂立部３１と、この垂立部３１に連続して前方に傾斜した状態で上方に伸びる傾斜部３２と、この傾斜部３２に連続して後方に傾斜した状態で上方に伸びる指掛部３３と、この指掛部３３に連続して上方に伸びる先端部３４とを有してなり、先端部３４には、ポンプ固定用蓋体ロック機構を構成する、シャーシ５０に形成された被係合部５１Ａに係合される係合用爪部３４Ａが形成されている。
このポンプ固定用蓋体３０には、垂立部３１の内面における、ポンプユニット４０の前面の両側部分に接する箇所に、点状のクッション部材（図示せず）が設けられている。
【００２１】
ポンプ装置は、内部にポンプ室を形成するゴム製のダイヤフラム４１および当該ダイヤフラム４１に固定された、マグネット４３を具えた可動体４２を備えたポンプユニット４０と、当該ポンプユニット４０と分離された、可動体４２を磁気的作用を利用して揺動させて当該ダイヤフラム４１を往復動させる電磁石４８とよりなる、電磁駆動式のものである。
ポンプユニット４０は、その側面部分において前後方向に伸びるよう形成された位置規制用レール部４４がポンプユニット装着部２６における案内部材２６Ｂに沿って案内されて挿入配置された状態において、ポンプ固定用蓋体３０が閉状態とされることにより、ポンプユニット装着部２６の後壁内面における４隅に設けられた点状のクッション部材２７およびポンプ固定用蓋体３０におけるクッション部材を介して押圧されて、ガス吸引部およびガス吐出部を有するヘッド部４５がポンプユニット接続部２６Ａにセットされた状態とされる。
【００２２】
前面カバー蓋６０は、下縁部に水平方向（幅方向）に伸びる枢支軸６１Ａを有する蓋体６１と、この蓋体６１の内部に設けられた、表示用素子および操作用ボタンを含む電子部品が実装された表示用／操作用回路基板６２と、この表示用／操作用回路基板６２を覆うよう設けられた、各々先端部が上下方向に伸びる片状の弾発部材６３Ａを有する内蓋６３とを備えており、表示用／操作用回路基板６２は、例えばフラットケーブル（図示せず）により、ガス警報装置本体１０におけるメイン基板と電気的に接続されていると共に、枢支軸６１Ａがベース部材１１の前縁部に形成された支持部１５により支持されて、前面カバー蓋ロック機構によって閉状態に固定される閉位置と開状態とされる開位置との間で回動自在に設けられている。
【００２３】
前面カバー蓋ロック機構は、前面カバー蓋６０の上縁部に設けられた係合用爪部６５により構成されており、当該係合用爪部６５がシャーシ５０の係合用孔５２の各々に係合されることにより前面カバー蓋６０が閉状態に固定される二重のロック機構であって、カバー部材１７に形成された２つのボタン部１８Ａによって前面カバー蓋６０の係合用爪部６５とシャーシ５０の係合用孔５２の各々との係合が共に解除されることにより前面カバー蓋６０が回動可能な状態とされる。
【００２４】
また、前面カバー蓋６０には、閉状態とされた状態において、装着されたガスセンサユニット７０に係るガスセンサの種類等の情報を示す銘板７０Ａを、外部から視認するための視認用開口部６７が形成されている。
【００２５】
このガス警報装置においては、ポンプユニット４０がポンプユニット装着部２６に収容された状態においてポンプ固定用蓋体３０が閉状態とされることにより、ポンプユニット装着部２６の前方位置に、前方に開口する凹所よりなるガスセンサユニット装着部１６が形成され、上述したように、ガスセンサユニット７０がガスセンサユニット装着部１６に着脱可能に装着される。
ガスセンサユニット７０は、ガスセンサ７２および当該ガスセンサ７２の出力信号を処理するセンサ基板７３が、ガスセンサユニット装着部１６に適合する外形形状を有する、当該ガスセンサ７２の種類に応じたセンサケース７１に収容されて構成されており、互いに検知対象ガスの種類または検知レベルの異なるガスセンサ７２を具えた複数のガスセンサユニットのうちから目的に応じて選択されたいずれか一のガスセンサユニットが、当該ガスセンサユニットに係るガスセンサと異なる種類のガスセンサを具えた他のガスセンサユニットと交換可能とされている。
【００２６】
ガスセンサ７２としては、例えば定電位電解式センサ、熱粒子化式センサ、ガルバニ電池式センサ、接触燃焼式センサ、半導体式センサなどを例示することができる。
【００２７】
ガスセンサユニット７０は、外匣２０の前方開口から挿入されてガス警報装置本体１０における接続用コネクタ部１６Ａと電気的に接続された状態において、前面カバー蓋６０が閉状態とされることにより、ガスセンサユニット７０の全体が前面カバー蓋６０の内面に設けられた弾発部材６３Ａを介して押圧されてガスセンサユニット接続部２８にセットされた状態とされる。
【００２８】
このガス警報装置は、上述したように、ガス警報装置本体１０が、例えば工場およびその他の建物のガス検知対象空間を画成する壁面など垂直な被取り付け面に固定された固定用装着部材８０に着脱可能に装着されて用いられる。
固定用装着部材８０は、被取り付け面に固定される略板状の垂立部８２およびこの垂立部８２の下縁から前方に伸びる板状の水平部８７を有する固定基板（壁掛けアングル）８１と、この固定基板８１における水平部８７に着脱可能に装着されるロック部材９０とにより構成されている。
【００２９】
固定基板８１における垂立部８２は、上下方向における略中央部分が内方に向かって断面形状が略「コ」の字状となるよう変形されてなる屈曲部８２Ａを有し、この屈曲部８２Ａより上方側部分における幅方向の略中央位置に、各々垂立部８２の一部分が片状に切り出された爪状突起８３Ａよりなる２つの上方側係止部８３が幅方向に並んだ位置において、内方側に突出した状態で上向きに形成されていると共に、屈曲部８２Ａより下方側部分における両側縁部の各々に、上向きの爪状突起８４Ａよりなる２つの下方側係止部８４が内方側に突出した状態で形成されている。図６における符号８５は被取り付け面に対する例えば固定用ネジなどの装着用開口部、８６はガス警報装置本体１０と電気的に接続される接続用コネクタ部である。
固定基板８１における水平部８７には、電源ケーブル引き込み用開口部８８およびロック部材装着部８９が幅方向に並んで形成されており、ロック部材装着用開口部８９は、水平部の前縁から後方に伸びる切り欠き部８９Ａと当該切り欠き部８９Ａに対して後方に並んだ位置に形成された貫通孔８９Ｂとにより構成されている（図８参照）。
【００３０】
固定基板８１における上方側係止部８３を構成する爪状突起８３Ａおよび下方側係止部８４を構成する爪状突起８４Ａの上下方向の寸法は、いずれも、例えば７〜８ｍｍとされており、これにより、ガス警報装置本体１０を固定用装着部材８０から取り外す際に必要とされる上下方向のスライド量を可及的に小さく制限しながら、ガス警報装置本体１０の装着時におけるガス警報装置本体１０の前後方向の移動が確実に禁止された状態を得ることができる。
【００３１】
ロック部材９０は、上方に凸となるよう孤状に湾曲した形態を有する本体部９１と、この本体部９１の正面側板状部分の下端に連続して下方に伸びるレバー部９３と、本体部９１の背面側板状部分の下端に連続する装着部９５とを有する。
本体部９１には、ガス警報装置本体１０のベース部材１１に形成された係合用開口部１３Ａに係合される係合用爪部９２が正面側板状部分の前面に形成されており、固定基板８１における水平部８７の上面に係止される切り欠き部９４Ａを有する係止部９４が背面側板状部分の外面に形成されている。
装着部９５には、固定基板８１における水平部８７の貫通孔８９Ｂに挿入されて水平部８７の上面に係止される係止用アーム部分９６が外方に伸びるよう形成されている。
【００３２】
このロック部材９０は、図８に示すように、固定基板８１のロック部材装着部８９に対して下方から挿入され（図８（イ））、その後、ロック部材９０が後方にスライドされることにより係止用アーム部分９６および係止部９４の切り欠き部９４Ａがそれぞれ固定基板８１の水平部８７の上面に係止されて装着される（図８（ロ））。なお、後述するように、固定用装着部材８０に対するガス警報装置本体１０の着脱においては、ロック部材９０を固定基板８１から脱落させる方向の力がロック部材９０に対して作用することがないので、ロック部材９０が固定基板８１に対して固定された構成とされている必要はないが、実際上は、安全性を考慮してネジ止めされて固定される。
【００３３】
以下、ガス警報装置本体の固定用装着部材に対する着脱方法について説明する。
固定用装着部材８０は、ガス警報装置本体１０における外匣２０の幅領域内に収まる寸法を有するものであるため、被取り付け面に固定された固定用装着部材８０における固定基板８１の水平部８７に沿ってガス警報装置本体１０を後方に移動させることにより固定用装着部材８０に対して適正な位置に位置合わせされた状態がいわば自動的に得られ、その後、ガス警報装置本体１０を下方にスライドさせることにより固定用装着部材８０における上方側係止部８３がガス警報装置本体１０におけるシャーシ５０の係止用孔５４に係止されると共に固定用装着部材８０における下方側係止部８４がガス警報装置本体１０におけるカバー部材１７の係止用孔１９に係止される。一方、ガス警報装置本体１０が固定用装着部材８０に対して位置合わせされた状態（図９（イ））において、ガス警報装置本体１０が下方にスライドされることにより、図９（ロ）に示すように、ロック部材９０がガス警報装置本体１０のベース部材１１によって弾性的に変形され、更に下方へスライドされることによりロック部材９０の形状が復元されてロック部材９０の係合用爪部９２がガス警報装置本体１０におけるベース部材１１の係合用開口部１３Ａに係合され、これにより、ガス警報装置本体１０が上下方向の移動が禁止された状態で、固定用装着部材８０に装着、固定される（図９（ハ））。
ガス警報装置本体１０が固定用装着部材８０に装着された状態においては、固定用装着部材８０を含むすべての構成部材が外匣２０の幅領域内に収められた状態とされる。
【００３４】
一方、ガス警報装置本体１０を固定用装着部材８０から取り外す場合には、例えばドライバーなどを必要に応じて利用してロック部材９０のレバー部９３を後方に押すことによりロック部材９０を弾性的に変形させ（図９（ロ））、これにより、ロック部材９０の係合用爪部９２とガス警報装置本体１０のベース部材１１における係合用開口部１３Ａとの係合を解除してガス警報装置本体１０の固定用装着部材８０に対するロック状態を解除し、その後、ガス警報装置本体１０を上方にスライドさせることによりガス警報装置本体１０と固定用装着部材８０とが係止された状態が解除され、ガス警報装置本体１０を取り外すことができる。
【００３５】
上記ガス警報装置は、例えば、互いに異なる種類のガスセンサを具えたガスセンサユニット７０がそれぞれ装着された、同一の構成を有する多数台のものを幅方向に並んだ状態で設置することにより環境監視システムを構築して使用することができる。
このような環境監視システムにおいては、互いに隣接するガス警報装置間の幅方向におけるスペースの大きさを、例えば１０ｍｍ以下とすることができ、また、実質的に０ｍｍとすることもできる。
【００３６】
而して、上記ガス警報装置によれば、ガス警報装置本体１０を被取り付け面に固定された固定用装着部材８０に位置合わせした状態で下方にスライドさせることにより固定用装着部材８０における上方側係止部８３をガス警報装置本体１０におけるシャーシ５０の係止用孔５４に係止させると共に固定用装着部材８０における下方側係止部８４をガス警報装置本体１０におけるカバー部材１７の係止用孔１９に係止させ、さらに、ロック部材９０の係合用爪部９２をガス警報装置本体１０におけるベース部材１１の係合用開口部１３Ａに係合させ、これにより、ガス警報装置本体１０が固定用装着部材８０に装着、固定することができ、しかも、ガス警報装置本体１０を固定用装着部材８０より取り外す場合には、ガス警報装置の下方に形成される配管用スペースを利用してロック部材９０に対してガス警報装置の正面側からアクセスしてガス警報装置本体１０とロック部材９０との係合を解除することができるよう構成されているので、ガス警報装置の設置作業および取り外し作業を容易に行うことができて高い作業性を得ることができ、しかも、例えば、多数台のものを幅方向に並設する場合には、隣接するガス警報装置間のスペースを確保しておく必要がないので、設置占有面積を小さくことができる。
【００３７】
また、上方に凸となるよう弧状に湾曲する本体部９１と、この本体部９１の正面側板状部分の下端に連続して下方に伸びるレバー部９３と、本体部９１の背面側板状部分の下端に連続する固定基板８１の水平部８５に係止されて装着される装着部９５とを有し、正面側板状部分の前面に、ガス警報装置本体１０におけるベース部材１１の係合用開口部１３Ａに係合される係合用爪部９２が形成された特定の構成のロック部材９０が用いられていることにより、ガス警報装置本体１０を確実に固定することができると共に、ガス警報装置の正面側からのアクセスによってガス警報装置本体１０とロック部材９０との係合解除を確実に行うことができるので、上記効果を確実に得ることができる。
【００３８】
さらにまた、固定用装着部材８０を含む構成部材のすべてが外匣２０の幅領域内に収められた状態とされていることにより、多数台を並設する場合において、隣接するガス警報装置間のスペースを可及的に小さくすること、特に、ガス警報装置を密接して設置することができて設置占有面積を一層小さくすることができる。
【００３９】
以上、本発明の実施形態について説明したが、本発明は上記の実施形態に限定されるものではなく、種々の変更を加えることができる。
固定用装着部材におけるロック部材は、ガス警報装置の正面側からアクセスしてガス警報装置とロック部材との係合を解除することができるよう構成されていれば、上記構成のものに限定されない。
また、固定用装着部材における、ガス警報装置本体の後背面に係止される係止部の形成位置および数は特に制限されるものではなく、ガス警報装置の前後方向の移動を禁止することができるよう構成されていればよい。
【図面の簡単な説明】
【００４０】
【図１】本発明のガス警報装置の一例における構成を示す正面図である。
【図２】図１に示すガス警報装置の上面図である。
【図３】図１におけるＡ−Ａ線断面図である。
【図４】ガス警報装置本体の構成を示す斜視図である。
【図５】内部ケーシング部材の構成を示す斜視図である。
【図６】固定用装着部材の構成を示す斜視図である。
【図７】図１に示すガス警報装置の、ガスセンサユニットが取り外しされた状態を示す斜視図である。
【図８】ロック部材の固定基板に対する装着方法を説明するための拡大断面図である。
【図９】ガス警報装置本体の固定用装着部材に対する装着方法を説明するための拡大断面図である。
【符号の説明】
【００４１】
１０  ガス警報装置本体
１１  ベース部材
１２  底面部
１３  背面部
１３Ａ  係合用開口部
１５  支持部
１６  ガスセンサユニット装着部
１６Ａ  接続用コネクタ部
１７  カバー部材
１７Ａ  天板
１７Ｂ  側面板
１８  ロック解除部
１８Ａ  ボタン部
１９  係止用孔
２０  外匣
２５  内部ケーシング部材
２５Ａ  バッファ用空間部
２６  ポンプユニット装着部
２６Ａ  ポンプユニット接続部
２６Ｂ  案内部材
２７  クッション部材
２８  ガスセンサユニット接続部
２９  ガス配管接続部
２９Ａ  ガス導入部
２９Ｂ  ガス排出部
３０  ポンプ固定用蓋体
３１  垂立部
３２  傾斜部
３３  指掛部
３４  先端部
３４Ａ  係合用爪部
４０  ポンプユニット
４１  ダイヤフラム
４２  可動体
４３  マグネット
４４  位置規制用レール部
４５  ヘッド部
４８  電磁石
５０  シャーシ
５１  天面部
５１Ａ  被係合部
５２  係合用孔
５３  背面部
５４  係止用孔
５５  接続用コネクタ
６０  前面カバー蓋
６１  蓋体
６１Ａ  枢支軸
６２  表示用／操作用回路基板
６３  内蓋
６３Ａ  弾発部材
６５  係合用爪部
６７  視認用開口部
６８  表示部
６９  操作部
７０Ａ  銘板
７０  ガスセンサユニット
７１  センサケース
７２  ガスセンサ
７３  センサ基板
７８  流量センサ
８０  固定用装着部材
８１  固定基板（壁掛けアングル）
８２  垂立部
８２Ａ  屈曲部
８３  上方側係止部
８３Ａ  爪状突起
８４  下方側係止部
８４Ａ  爪状突起
８５  装着用開口部
８６  接続用コネクタ部
８７  水平部
８８  電源ケーブル引き込み用開口部
８９  ロック部材装着部
８９Ａ  切り欠き部
８９Ｂ  貫通孔
９０  ロック部材
９１  本体部
９２  係合用爪部
９３  レバー部
９４  係止部
９４Ａ  切り欠き部
９５  装着部
９６  係止用アーム部分
【図１】
2010073077.tif 000003
【図２】
2010073077.tif 000004
【図３】
2010073077.tif 000005
【図４】
2010073077.tif 000006
【図５】
2010073077.tif 000007
【図６】
2010073077.tif 000008
【図７】
2010073077.tif 000009
【図８】
2010073077.tif 000010
【図９】
2010073077.tif 000011